(57)【要約】【課題】簡素な構造のシール材によって水等の進入を防止できる電力変換装置を提供する。【解決手段】電力変換装置１は、電子部品２と、電子部品２に電気的に接続された回路基板３と、回路基板３を外部回路と電気的に接続するコネクタ端子４１を備えたコネクタ４とを有している。電子部品２及び回路基板３は、開口を備えたケース５に収容されている。ケース５の開口は、コネクタ端子４１を外部に露出させつつコネクタ４を保持するコネクタ保持部６１を備えたカバー６により覆われている。コネクタ４とコネクタ保持部６１との間の隙間は、シール材７により塞がれている。【選択図】図２
2019062651.tif 000002
【特許請求の範囲】
【請求項１】
電子部品（２）と、
上記電子部品に電気的に接続された回路基板（３、３０４）と、
上記回路基板を外部回路と電気的に接続するコネクタ端子（４１）を備えたコネクタ（４、４０２）と、
開口を備え、上記電子部品及び上記回路基板が収容されたケース（５）と、
上記コネクタ端子を外部に露出させつつ上記コネクタを保持するコネクタ保持部（６１、６５）を備え、上記ケースの開口を覆うカバー（６、６０２、６０３、６０４）と、
上記コネクタと上記コネクタ保持部との間の隙間を塞ぐシール材（７、７０２）とを有している、電力変換装置（１、１０２、１０３、１０４）。
【請求項２】
上記コネクタ（４）は、平板状を呈し、上記コネクタ端子が保持されたプレート部（４２）を有しており、上記コネクタ保持部（６１）は、上記シール材を介して上記プレート部に対面するコネクタ支持板（６１１）を有しており、上記シール材は、上記プレート部と上記コネクタ支持板との間に挟持されている、請求項１に記載の電力変換装置（１、１０３、１０４）。
【請求項３】
上記カバー（６、６０２、６０４）は、上記回路基板と上記コネクタ端子との接続部を観察可能な位置に設けられたコネクタ端子観察窓（６１５）を有している、請求項１または２に記載の電力変換装置（１、１０２、１０４）。
【請求項４】
上記回路基板は、上記カバー（６０３、６０４）に保持されている、請求項１〜３のいずれか１項に記載の電力変換装置（１０３、１０４）。
【請求項５】
上記カバー（６０３）は、上記回路基板と上記電子部品との接続部を観察可能な位置に設けられた部品端子観察窓（６２２）を有している、請求項４に記載の電力変換装置（１０３）。
【請求項６】
上記電力変換装置（１０４）は、上記回路基板（３０４）として、上記コネクタに電気的に接続された第１回路基板（３０４ａ）と、上記電子部品と直接接続された第２回路基板（３０４ｂ）とを有しており、上記第１回路基板は、上記第２回路基板を介して上記電子部品と電気的に接続されている、請求項１〜５のいずれか１項に記載の電力変換装置（１０４）。
【請求項７】
上記カバー（６０４）は、上記第１回路基板と上記第２回路基板との接続部を視認可能な位置に設けられた回路端子観察窓（６２４）を更に有している、請求項６に記載の電力変換装置（１０４）。
【発明の詳細な説明】
【技術分野】
【０００１】
本発明は、電力変換装置に関する。
【背景技術】
【０００２】
例えば、ハイブリッド自動車や電気自動車等の車両には、直流電力と交流電力との間で電力変換を行う電力変換装置が搭載されている。電力変換装置は、電力変換を行うための電子部品と、電子部品の動作を制御するための回路基板とを有している。電子部品及び回路基板は箱状のケース内に収容されており、ケースの外部に露出したコネクタを介して外部回路に接続される。また、この種の電力変換装置には、通常、ケース内部への水等の進入を防止する目的で、コネクタとケースとの間の隙間を塞ぐシール材が設けられている。
【０００３】
特許文献１には、金属ベース板の壁部に設けられた切り欠き部にコネクタが嵌め合わされた電力変換装置の例が記載されている。この電力変換装置では、コネクタは、ケースの側周面の一部を構成する壁部と、ケースの頂面を構成する蓋部との間に保持されている。
【先行技術文献】
【特許文献】
【０００４】
【特許文献１】特開２０１２−１３９０４１号公報
【発明の概要】
【発明が解決しようとする課題】
【０００５】
特許文献１の電力変換装置におけるコネクタは、金属ベース板の壁部と蓋部という２つの部品の間に保持されている。そのため、シール材によって、コネクタの周囲の隙間、即ちコネクタと壁部との間の隙間及びコネクタと蓋部との隙間の両方の隙間を塞ぐ必要がある。
【０００６】
また、コネクタが壁部と蓋部との間に保持されているため、コネクタの周囲の隙間が壁部と蓋部との間の隙間に繋がっている。それ故、特許文献１の電力変換装置においてコネクタの周囲からケース内部への水等の進入を防止するためには、シール材によってコネクタの周囲の隙間を塞ぐだけではなく、コネクタの周囲の隙間と壁部と蓋部との間の隙間との接続部分も塞がなければならず、シール材の構造が複雑になるという問題がある。
【０００７】
本発明は、かかる課題に鑑みてなされたものであり、簡素な構造のシール材によって水等の進入を防止できる電力変換装置を提供しようとするものである。
【課題を解決するための手段】
【０００８】
本発明の一態様は、電子部品（２）と、
上記電子部品に電気的に接続された回路基板（３）と、
上記回路基板を外部回路と電気的に接続するコネクタ端子（４１）を備えたコネクタ（４、４０２）と、
開口を備え、上記電子部品及び上記回路基板が収容されたケース（５）と、
上記コネクタ端子を外部に露出させつつ上記コネクタを保持するコネクタ保持部（６１、６５）を備え、上記ケースの開口を覆うカバー（６、６０２、６０３、６０４）と、
上記コネクタと上記コネクタ保持部との間の隙間を塞ぐシール材（７、７０２）とを有している、電力変換装置（１、１０２、１０３、１０４）にある。
【発明の効果】
【０００９】
上記電力変換装置のコネクタは、カバーに設けられたコネクタ保持部に保持されている。また、コネクタとコネクタ保持部との間の隙間は、シール材によって塞がれている。そのため、コネクタとカバーとの間の隙間から電力変換装置内部への水等の進入を防止することができる。
【００１０】
また、コネクタは、カバーという１つの部品によって保持されているため、コネクタとカバーとの間の隙間に、ケースとカバーとの隙間などの他の部品間の隙間が接続されることはない。そのため、シール材の構造を簡素化することができる。
【００１１】
以上のごとく、上記態様によれば、簡素な構造のシール材によって水等の進入を防止できる電力変換装置を提供することができる。
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１２】
【図１】実施形態１における、電力変換装置の斜視図である。
【図２】実施形態１における、電力変換装置の要部を示す断面図である。
【図３】実施形態１における、電力変換装置の分解断面図である。
【図４】実施形態２における、電力変換装置の要部を示す断面図（図２に相当する矢視断面図）である。
【図５】実施形態３における、回路基板がケースに保持されている電力変換装置の斜視図である。
【図６】実施形態３における、電力変換装置の要部を示す断面図である。
【図７】実施形態３における、電力変換装置の分解断面図である。
【図８】実施形態４における、回路基板と第２回路基板とを備えた電力変換装置の斜視図である。
【図９】実施形態４における、電力変換装置の要部を示す断面図である。
【発明を実施するための形態】
【００１３】
上記電力変換装置の複数の実施形態について、図面を参照しつつ説明する。
【００１４】
（実施形態１）
本実施形態の電力変換装置１は、図２に示すように、電子部品２と、電子部品２に電気的に接続された回路基板３と、回路基板３を外部回路と電気的に接続するコネクタ端子４１を備えたコネクタ４とを有している。電子部品２及び回路基板３は、開口を備えたケース５に収容されている。ケース５の開口は、コネクタ端子４１を外部に露出させつつコネクタ４を保持するコネクタ保持部６１を備えたカバー６により覆われている。コネクタ４とコネクタ保持部６１との間の隙間は、シール材７により塞がれている。
【００１５】
図１に示すように、本実施形態の電力変換装置１におけるケース５とカバー６とは、互いに組み合わされ、略直方体状を呈している。以下において、ケース５とカバー６との並び方向を「高さ方向Ｚ」といい、高さ方向Ｚにおけるカバー６側を上方Ｚ１、ケース５側を下方Ｚ２ということがある。また、電力変換装置１の長手方向を「縦方向Ｘ」といい、高さ方向Ｚ及び縦方向Ｘの両方に直交する方向を「横方向Ｙ」ということがある。なお、高さ方向Ｚにおける上下の表示は便宜上のものであり、電力変換装置１を車両等に取り付ける際の向きとは何ら関係がない。
【００１６】
図１及び図２に示すように、ケース５は、電力変換装置１の下方Ｚ２の外壁を構成する底壁部５１と、底壁部５１上に配置されたケース本体５２とを有している。ケース本体５２は、底壁部５１の周縁に接合され、上方Ｚ１に延設されたケース周壁部５２１と、ケース周壁部５２１の上端から電力変換装置１の外方に突出したケース側フランジ部５２２と、ケース周壁部５２１からケース本体５２の内方に延出した仕切壁部５２３とを有している。ケース側フランジ部５２２は、カバー側フランジ部６４（後述）に接合されている。また、ケース側フランジ部５２２とカバー側フランジ部６４との間にはシール材（図示略）が設けられており、このシール材によってケース５とカバー６との隙間が塞がれている。
【００１７】
図２に示すように、仕切壁部５２３は、上方Ｚ１に延設された複数のボス５２４を有している。これらのボス５２４には回路基板３が保持されている。また、仕切壁部５２３の中央部には、電子部品２の端子２１（後述）を挿通する貫通穴５２５が設けられている。
【００１８】
底壁部５１、ケース周壁部５２１及び仕切壁部５２３によって取り囲まれる下側内部空間Ｓ１には、電子部品２が収容されている。電子部品２は、上方Ｚ１に延設された端子２１を有している。端子２１は、仕切壁部５２３の貫通穴５２５を通り、回路基板３のスルーホール（図示略）に挿入されている。また、端子２１と回路基板３のスルーホールとは、プレスフィット接続によって電気的に接続されている。
【００１９】
電子部品２としては、例えば、ＩＧＢＴ（絶縁ゲート型バイポーラトランジスタ）、リアクトル、キャパシタ等の、電力変換回路に使用される部品がある。図には示さないが、これらの電子部品２は互いに電気的に接続され、電力変換回路を構成している。また、下側内部空間Ｓ１には、上述した電子部品２とともに、これらを冷却するための冷却器が収容されることがある。
【００２０】
回路基板３は、仕切壁部５２３のボス５２４に保持されており、カバー６、ケース周壁部５２１及び仕切壁部５２３によって取り囲まれる上側内部空間Ｓ２に収容されている。回路基板３は、端子２１を介して電子部品２に電気的に接続されている。回路基板３は、例えば、電子部品２の動作を制御して電力変換を行うドライブ回路や、コネクタ４を介して電子制御ユニット等の外部回路との通信を行う通信回路等として機能するように構成されている。
【００２１】
図１及び図２に示すように、カバー６は、電力変換装置１の上方Ｚ１の外壁を構成する頂壁部６２と、頂壁部６２の周縁から下方Ｚ２に延設されたカバー周壁部６３と、カバー周壁部６３の下端から電力変換装置１の外方に突出したカバー側フランジ部６４とを有している。カバー側フランジ部６４はケース側フランジ部５２２に接合されており、カバー側フランジ部６４とケース側フランジ部５２２との間にはシール材（図示略）が配置されている。
【００２２】
図１に示すように、頂壁部６２は、上方Ｚ１から視た平面視において長方形状を呈している。また、頂壁部６２の４か所の角部のうち１個所の角部は、周囲よりも上方Ｚ１に膨出している。この角部には、コネクタ保持部６１が設けられている。
【００２３】
図２に示すように、コネクタ保持部６１は、頂壁部６２、カバー周壁部６３及びカバー側フランジ部６４に連なるコネクタ支持板６１１と、コネクタ支持板６１１の中央に配置され、横方向Ｙに開口した端子挿通穴６１２と、コネクタ支持板６１１の周縁部から横方向Ｙの外方に立設された枠体部６１３とを有している。コネクタ４は、枠体部６１３の内側に保持されている。コネクタ支持板６１１は、シール材７を介してコネクタ４のプレート部４２（後述）に対面している。端子挿通穴６１２には、コネクタ端子４１が挿通されている。
【００２４】
また、コネクタ保持部６１は、上方Ｚ１に開口したコネクタ端子観察窓６１５を有している。コネクタ端子観察窓６１５は、回路基板３とコネクタ端子４１との接続部を観察可能な位置に配置されている。コネクタ端子観察窓６１５は、電力変換装置１の組み立てが完了した状態において、キャップ６１６により閉鎖されている。
【００２５】
コネクタ４は、平板状を呈し、コネクタ端子４１が保持されたプレート部４２を有している。コネクタ端子４１は、ピン状を呈しており、プレート部４２を貫通して配置されている。コネクタ端子４１の一端４１１は、電力変換装置１の外部に露出している。コネクタ端子４１の一端４１１の周囲は、プレート部４２から立設された筒状のフード部４３に覆われている。即ち、本実施形態のコネクタ４は、オス型のコネクタとして構成されている。
【００２６】
また、コネクタ端子４１は、プレート部４２を貫通して電力変換装置１の内側に延設されている。コネクタ端子４１の他端４１２は、端子挿通穴６１２を通り、回路基板３のスルーホール（図示略）に挿入されている。また、コネクタ端子４１の他端４１２と回路基板３のスルーホールとは、プレスフィット接続によって電気的に接続されている。これにより、コネクタ端子４１と回路基板３とが電気的に接続されている。
【００２７】
プレート部４２は、コネクタ保持部６１の枠体部６１３の内側に配置されている。プレート部４２の端面は、枠体部６１３及びカバー側フランジ部６４に対面している。即ち、プレート部４２の側周面の全周がカバー６と対面している。また、プレート部４２は、シール材７を介してコネクタ支持板６１１に対面しており、ボルト４２１によってコネクタ支持板６１１に締結されている。
【００２８】
シール材７は、環状を呈しており、プレート部４２の周縁部の全周に亘って配置されている。また、シール材７は、プレート部４２とコネクタ支持板６１１との間に挟持されており、プレート部４２及びコネクタ支持板６１１の両方に密着している。これにより、プレート部４２とコネクタ支持板６１１との隙間が、プレート部４２の周縁部の全周に亘って塞がれている。
【００２９】
電力変換装置１は、例えば、以下の手順により組み立てることができる。まず、図３に示すように、ケース本体５２の内部に電子部品２を配置した後、ケース周壁部５２１に底壁部５１を接合する。次に、回路基板３のスルーホールに電子部品２の端子２１を挿入しつつ、回路基板３を仕切壁部５２３のボス５２４に取り付ける。その後、ケース側フランジ部５２２の全周に亘ってシール材（図示略）を配置する。
【００３０】
これとは別に、カバー６のコネクタ保持部６１にシール材７及びコネクタ４を取り付ける。その後、ケース５へのカバー６の取り付けと、回路基板３のスルーホールへのコネクタ端子４１の他端４１２の挿入とを同時に行う。このとき、コネクタ端子観察窓６１５が開口しているため、回路基板３のスルーホールの位置やコネクタ端子４１の他端４１２の位置をコネクタ端子観察窓６１５から観察することができる。そのため、これらの位置を確認しつつ、コネクタ端子４１の他端４１２を回路基板３のスルーホールへ挿入することができる。カバー６の取り付けが完了した後、コネクタ端子観察窓６１５をキャップ６１６で閉鎖することにより、電力変換装置１を得ることができる。
【００３１】
また、上述したような、予めコネクタ４を取り付けたカバー６をケース５に取り付ける手順に代えて、カバー６をケース５に取り付けた後にコネクタ４を取り付けてもよい。この場合には、カバー６をケース５に取り付けた後、コネクタ保持部６１にシール材７及びコネクタ４を取り付ける。この場合にも、コネクタ端子観察窓６１５から回路基板３のスルーホールの位置やコネクタ端子４１の位置を確認しつつ、コネクタ端子４１をスルーホールへ挿入することができる。コネクタ４の取り付けが完了した後、コネクタ端子観察窓６１５をキャップ６１６で閉鎖することにより、電力変換装置１を得ることができる。
【００３２】
次に、本実施形態の電力変換装置１の作用効果を説明する。電力変換装置１のコネクタ４は、カバー６に設けられたコネクタ保持部６１に保持されている。また、コネクタ４とコネクタ保持部６１との間の隙間は、シール材７によって塞がれている。そのため、コネクタ４とカバー６との間の隙間から電力変換装置１内部への水等の進入を防止することができる。
【００３３】
また、コネクタ４は、カバー６という１つの部品によって保持されているため、コネクタ４とカバー６との間の隙間に、ケース５とカバー６との隙間などの他の部品間の隙間が接続されることはない。そのため、シール材７の構造を簡素化することができる。
【００３４】
以上のごとく、本実施形態によれば、簡素な構造のシール材７によって水等の進入を防止できる電力変換装置１を提供することができる。
【００３５】
本実施形態のコネクタ４は、平板状を呈し、コネクタ端子４１が保持されたプレート部４２を有している。また、コネクタ保持部６１は、シール材７を介してプレート部４２に対面するコネクタ支持板６１１を有している。そして、シール材７は、プレート部４２とコネクタ支持板６１１との間に挟持されている。そのため、シール材７をプレート部４２及びコネクタ支持板６１１の両方に容易に密着させることができる。その結果、コネクタ４とカバー６との間の隙間から水等が進入することをより確実に防止することができる。
【００３６】
また、カバー６のコネクタ保持部６１は、回路基板３とコネクタ端子４１との接続部を観察可能な位置に設けられたコネクタ端子観察窓６１５を有している。そのため、コネクタ端子４１と回路基板３との接続部を観察しながら、コネクタ端子４１と回路基板３との接続作業を行うことができる。それ故、本実施形態の電力変換装置１によれば、コネクタ端子４１と回路基板３との接続作業の作業性を向上させることができる。
【００３７】
（実施形態２）
図４に示すように、本実施形態の電力変換装置１０２におけるシール材７０２は、コネクタ４０２の側周面４４１とコネクタ保持部６５の内壁面６５２との間に介在している。なお、本実施形態以降において用いる符号のうち、既出の実施形態において用いた符号と同一のものは、特に説明のない限り、既出の実施形態における構成要素等と同様の構成要素等を表す。
【００３８】
本実施形態の電力変換装置１０２におけるカバー６０２は、頂壁部６２の角部に、周囲よりも上方Ｚ１に膨出したコネクタ保持部６５を有している。コネクタ保持部６５は、横方向Ｙに開口したコネクタ保持穴６５１を有している。コネクタ保持穴６５１内には、コネクタ４０２が挿入されている。コネクタ４０２は、図示しないボルトによってカバー６０２に締結されている。
【００３９】
また、コネクタ保持部６５は、上方Ｚ１に開口したコネクタ端子観察窓６１５を有している。コネクタ端子観察窓６１５は、回路基板３とコネクタ端子４１との接続部を観察可能な位置に配置されている。コネクタ端子観察窓６１５は、電力変換装置１０２の組み立てが完了した状態において、キャップ６１６により閉鎖されている。
【００４０】
本実施形態のコネクタ４０２は、平板状を呈するプレート部４４と、プレート部４４の周縁部から電力変換装置１０２の外方に立設されたフード部４３と、フード部４３の内側に配置され、プレート部４４を貫通しているコネクタ端子４１とを有している。プレート部４４の側周面４４１は、コネクタ保持部６５の内壁面６５２に面している。また、プレート部４４は、側周面４４１の全周に亘って延設された溝４４２を有している。
【００４１】
プレート部４２に設けられた溝４４２には、環状を呈するシール材７０２が配置されている。シール材７０２は、プレート部４２と、コネクタ保持部６５の内壁面６５２との両方に密着している。その他は実施形態１と同様である。
【００４２】
実施形態１や本実施形態で示したように、コネクタ４、４０２がカバー６、６０２に設けられたコネクタ保持部６１、６５に保持されている場合には、環状のシール材７、７０２によってコネクタ４、４０２とコネクタ保持部６１、６５との間の隙間を塞ぐことができる。そのため、簡素な構造のシール材７、７０２によって水等の進入を防止することができる。その他、本実施形態の電力変換装置１０２は、シール材７をプレート部４２とコネクタ支持板６１１との間に挟持することによる作用効果を除いて、実施形態１と同様の作用効果を奏することができる。
【００４３】
（実施形態３）
図６に示すように、本実施形態の電力変換装置１０３においては、回路基板３がカバー６０３に保持されている。本実施形態の電力変換装置１０３におけるカバー６０３の頂壁部６２は、下方Ｚ２に立設された複数のボス６２１を有している。これらのボス６２１には、回路基板３が保持されている。
【００４４】
また、図５及び図６に示すように、頂壁部６２は、回路基板３と電子部品２との接続部を観察可能な位置に設けられた部品端子観察窓６２２を有している。部品端子観察窓６２２は、具体的には、回路基板３と端子２１との接続部の上方Ｚ１に設けられている。部品端子観察窓６２２は、電力変換装置１０３の組み立てが完了した状態において、キャップ６２３により閉鎖されている。
【００４５】
本実施形態の電力変換装置１０３は、例えば、以下の手順により組み立てることができる。まず、ケース本体５２の内部に電子部品２を配置した後、ケース周壁部５２１に底壁部５１を接合する。その後、ケース側フランジ部５２２の全周に亘ってシール材（図示略）を配置する。
【００４６】
これとは別に、カバー６０３のコネクタ保持部６１にシール材７及びコネクタ４を取り付ける。次いで、回路基板３のスルーホールへコネクタ端子４１の他端４１２を挿入しつつ、カバー６０３のボス６２１に回路基板３を取り付ける。その後、図７に示すように、ケース５へのカバー６０３の取り付けと、回路基板３のスルーホールへの電子部品２の端子２１の挿入とを同時に行う。このとき、部品端子観察窓６２２が開口しているため、回路基板３のスルーホールの位置や端子２１の位置を部品端子観察窓６２２から観察することができる。そのため、これらの位置を確認しつつ、端子２１を回路基板３のスルーホールへ挿入することができる。カバー６０３の取り付けが完了した後、部品端子観察窓６２２をキャップ６２３で閉鎖することにより、電力変換装置１０３を得ることができる。その他は実施形態１と同様である。
【００４７】
本実施形態のように、回路基板３がカバー６０３に保持されている場合には、部品端子観察窓６２２を設けることにより、回路基板３と電子部品２との接続作業の作業性を向上させることができる。その他、本実施形態の電力変換装置１０３は、実施形態１と同様の作用効果を奏することができる。
【００４８】
（実施形態４）
図９に示すように、本実施形態の電力変換装置１０４は、コネクタ４に接続された第１回路基板３０４ａと、電子部品２に接続された第２回路基板３０４ｂとの２枚の回路基板３０４を有している。第１回路基板３０４ａは、第２回路基板３０４ｂを介して電子部品２と電気的に接続されている。
【００４９】
第１回路基板３０４ａは、カバー６０４の頂壁部６２から立設されたボス６２１に保持されている。また、第１回路基板３０４ａのスルーホールには、コネクタ端子４１の他端４１２が挿入されている。第２回路基板３０４ｂは、ケース本体５２の仕切壁部５２３から立設されたボス５２４に保持されている。第２回路基板３０４ｂのスルーホールには、電子部品２の端子２１が挿入されている。
【００５０】
本実施形態の電力変換装置１０４は、第１回路基板３０４ａと第２回路基板３０４ｂとを電気的に接続する接続ピン３１を更に有している。接続ピン３１は、第１回路基板３０４ａと第２回路基板３０４ｂとの間に介在している。接続ピン３１の一端は第１回路基板３０４ａのスルーホールに挿入されており、他端は第２回路基板３０４ｂのスルーホールに挿入されている。これにより、接続ピン３１を介して第１回路基板３０４ａと第２回路基板３０４ｂとが電気的に接続されている。
【００５１】
図８及び図９に示すように、本実施形態のカバー６０４は、頂壁部６２の角部に、コネクタ端子観察窓６１５を備えたコネクタ保持部６１を有している。また、頂壁部６２は、第１回路基板３０４ａと第２回路基板３０４ｂとの接続部を視認可能な位置に設けられた回路端子観察窓６２４を更に有している。回路端子観察窓６２４は、具体的には、接続ピン３１が挿入されるスルーホールの上方Ｚ１に設けられている。これらの観察窓６１５、６２４は、電力変換装置１０４の組み立てが完了した状態において、キャップ６１６、６２５により閉鎖されている。その他は実施形態１と同様である。
【００５２】
本実施形態のように２枚の回路基板３０４を有する場合には、コネクタ４に接続される第１回路基板３０４ａをカバー６０４に取り付け、電子部品２に接続される第２回路基板３０４ｂをケース５に取り付けることが好ましい。この場合には、各回路基板３０４ａ、３０４ｂの面積をより広くすることができる。
【００５３】
即ち、例えば２枚の回路基板をカバーに取り付ける場合、回路基板の面積を広くするためには、回路基板同士を重ねて配置する必要がある。このとき、カバーの外周縁部には、カバーから遠い側の回路基板を保持するためのボスが配置される。カバーに近い側の回路基板は、このボスとの干渉を回避するため、ボスよりも内側に配置される。従って、この場合には、２枚の回路基板のうちカバーに近い側の回路基板の面積が、他方の回路基板の面積よりも狭くなる。
【００５４】
これに対し、本実施形態のように、カバー６０４とケース５とのそれぞれに回路基板３０４ａ、３０４ｂを取り付けることにより、ボス５２４、６２１と回路基板３０４ａ、３０４ｂとの干渉を容易に回避することができる。その結果、各回路基板３０４ａ、３０４ｂの面積をより広くすることができる。その他、本実施形態の電力変換装置１０４は、実施形態１と同様の作用効果を奏することができる。
【００５５】
本発明は上記各実施形態に限定されるものではなく、その要旨を逸脱しない範囲において種々の実施形態に適用することが可能である。例えば、実施形態１〜４においては、カバーのコネクタ保持部にオス型コネクタが保持された電力変換装置の例を示したが、オス型コネクタに代えて、メス型コネクタを使用することもできる。
【符号の説明】
【００５６】
１、１０２、１０３、１０４  電力変換装置
２  電子部品
３、３０４  回路基板
４、４０２  コネクタ
４１  コネクタ端子
５  ケース
６、６０２、６０３、６０４  カバー
６１、６５  コネクタ保持部
７、７０２  シール材
【図１】
2019062651.tif 000003
【図２】
2019062651.tif 000004
【図３】
2019062651.tif 000005
【図４】
2019062651.tif 000006
【図５】
2019062651.tif 000007
【図６】
2019062651.tif 000008
【図７】
2019062651.tif 000009
【図８】
2019062651.tif 000010
【図９】
2019062651.tif 000011